(57)【要約】      （修正有）【課題】写真や動画等の閲覧ないし視聴に際して，単にその閲覧等に留まることなく，閲覧者の潜在的需要を引き出すことが可能な閲覧プログラムを提供する。【解決手段】写真や動画などデジタル媒体の閲覧・視聴を可能とするプログラムであって，写真や動画等のデジタル媒体の内容ないし撮影日時情報，撮影位置情報などの付随的情報に関連性を有する音楽著作物，映画著作物，ドラマ著作物，出版著作物のいずれか又は複数から選択され著作物を合わせて表示する。【選択図】図２
2017157115.tif 000002
【特許請求の範囲】
【請求項１】
写真や動画などデジタル媒体の閲覧・視聴を可能とするプログラムであって，
前記デジタル媒体の内容ないし付随的情報に関連性を有する著作物を合わせて表示することを特徴とする閲覧プログラム
【請求項２】
前記著作物が，音楽著作物，映画著作物，ドラマ著作物，出版著作物のいずれか又は複数から選択されることを特徴とする請求項１に記載の閲覧プログラム
【請求項３】
前記付随的情報が，デジタル媒体の撮影日時情報，撮影位置情報のいずれか又は複数から選択されることを特徴とする請求項１又は２に記載の閲覧プログラム
【請求項４】
撮影日時情報時における著作物の売上ランキングを伴って著作物の表示を行うことを特徴とする請求項１から３に記載の閲覧プログラム
【請求項５】
撮影位置情報における撮影位置について，下記いずれかの関連性を有する著作物の表示を行うことを特徴とする請求項１から４に記載の閲覧プログラム
(1)  撮影位置が含まれる市町村もしくは都道府県出身のアーティスト，監督，作家により，制作ないし歌唱などが行われた著作物。
(2)  撮影位置が含まれる市町村もしくは都道府県出身の俳優が出演している映画著作物，ドラマ著作物。
(3)  撮影位置における施設ないし観光物（山，海，公園，寺，城など）を内容として含む音楽著作物，映画著作物，ドラマ著作物，出版著作物。
【請求項６】
著作物の一部の視聴もしくは閲覧を可能とすることを特徴とする請求項１から５に記載の閲覧プログラム
【請求項７】
著作物の購入可能とすることを特徴とする請求項１から６に記載の閲覧プログラム
【請求項８】
請求項１ないし７に記載の閲覧プログラムが，
デジタル媒体を表示するデジタル媒体表示工程と，
デジタル媒体の付随的情報を読み取る付随的情報読取工程と，
デジタル媒体の実態的情報を読み取る実態的情報読取工程と，
付随的情報と実態的情報からデジタル媒体に関連性を有する著作物選択工程と，
選択された著作物の情報を表示する著作物表示工程と，
からなることを特徴とする閲覧プログラム
【発明の詳細な説明】
【技術分野】
【０００１】
本発明は，写真等のデジタル媒体を閲覧・視聴する際に，これらデジタル媒体と関連性を有する著作物が合わせて提示される閲覧・視聴プログラムに関する。
【背景技術】
【０００２】
写真や動画などのデジタル媒体には，デジタル情報として，付随的情報が記録されていることも多い。写真を例に挙げると，写真としての画像そのもののほか，写真を撮影した日時や撮影場所の位置情報などである。このデジタル写真を閲覧する技術としてデジタルフォトフレームの技術が開示されている（特許文献１）。
【先行技術文献】
【特許文献】
【０００３】
【特許文献１】特開２０１０−２７１８４３
【発明の開示】
【発明が解決しようとする課題】
【０００４】
特許文献１をはじめとしたデジタルフォトフレームの技術は，デジタル写真をアルバムのように手軽に見ることができる点において有用な技術である。
しかるに，本来，写真から得られる情報は，単なる画像としての外観に留まるものではない。すなわち，撮影当時の記憶，流行などの時代背景，撮影場所での思い出など，単に外観にとどまらない種々の情報が潜在的に含まれている，もしくは閲覧行為により惹起されるものであり，これについては動画の場合も同様である。また，かかる潜在的情報は，閲覧者にとって懐かしく，懐古的価値を有するものであることも多く，翻して言えば，閲覧者が意識をしていない潜在的需要にあたるものともいえる。
これより，写真や動画などのデジタル媒体において，その外観等の閲覧・視聴に留まるのみならず，閲覧者の嗜好に合致する潜在的需要を引き出すことができれば，デジタル媒体の，より効果的な商業的利用が可能になるものと発明者らは考えたものである。
【０００５】
上記事情を背景として本発明では，写真や動画等の閲覧・視聴に際して，単にその閲覧等に留まることなく，閲覧者の潜在的需要を引き出すことが可能な手法の開発を課題とする。
【課題を解決するための手段】
【０００６】
発明者らは，鋭意研究の結果，デジタル媒体に含まれる実態的情報ないし付随的情報に関連付けされた著作物を，写真等と合わせて情報提示を行い，閲覧者の潜在的情報と合致させ，購買行為に誘導する手法に着想し，発明を完成させたものである。
すなわち，本発明は，写真や動画等のデジタル媒体において，その外観や撮影日時情報，撮影位置情報などに関連性が深い著作物情報の提示を行い，これを閲覧者が写真等と合わせて閲覧することにより，閲覧者の購買行為の誘導を行うアプリケーション等に関するものである。
【０００７】
本発明は，以下の構成からなる。
本発明の第一の構成は，写真や動画などデジタル媒体の閲覧・視聴を可能とするプログラムであって，
前記デジタル媒体の内容ないし付随的情報に関連性を有する著作物を合わせて表示することを特徴とする閲覧プログラムである。
【０００８】
本発明の第二の構成は，前記著作物が，音楽著作物，映画著作物，ドラマ著作物，出版著作物のいずれか又は複数から選択されることを特徴とする第一の構成に記載の閲覧プログラムである。
本発明の第三の構成は，前記付随的情報が，デジタル媒体の撮影日時情報，撮影位置情報のいずれか又は複数から選択されることを特徴とする第一又は第二の構成に記載の閲覧プログラムである。
本発明の第四の構成は，撮影日時情報時における著作物の売上ランキングを伴って著作物の表示を行うことを特徴とする第一から第三の構成に記載の閲覧プログラムである。
本発明の第五の構成は，撮影位置情報における撮影位置について，下記いずれかの関連性を有する著作物の表示を行うことを特徴とする第一から第四の構成に記載の閲覧プログラムである。
(1)  撮影位置が含まれる市町村もしくは都道府県出身のアーティスト，監督，作家により，制作ないし歌唱などが行われた著作物。
(2)  撮影位置が含まれる市町村もしくは都道府県出身の俳優が出演している映画著作物，ドラマ著作物。
(3)  撮影位置における施設ないし観光物（山，海，公園，寺，城など）を内容として含む音楽著作物，映画著作物，ドラマ著作物，出版著作物。
【０００９】
本発明の第六の構成は，著作物の一部の視聴もしくは閲覧を可能とすることを特徴とする第一から第五の構成にに記載の閲覧プログラムである。
本発明の第七の構成は，著作物の購入可能とすることを特徴とする第一から第六の構成に記載の閲覧プログラムである。
本発明の第八の構成は，第一から第七の構成に記載の閲覧プログラムが，デジタル媒体を表示するデジタル媒体表示工程と，デジタル媒体の付随的情報を読み取る付随的情報読取工程と，デジタル媒体の実態的情報を読み取る実態的情報読取工程と，付随的情報と実態的情報からデジタル媒体に関連性を有する著作物選択工程と，選択された著作物の情報を表示する著作物表示工程と，からなることを特徴とする閲覧プログラムである。
【発明の効果】
【００１０】
本発明により，写真や動画等の閲覧・視聴に際して，単にその閲覧等に留まることなく，閲覧者の潜在的需要を引き出すことが可能な手法の提供が可能となった。
すなわち，本発明によれば，写真や動画等のデジタル媒体において，その外観や撮影日時情報，撮影位置情報などに関連性が深い著作物情報の提示を行うことが可能となり，かかる著作物情報の提示により，閲覧者の潜在的需要が掘り起こされ，閲覧者の購買行為への誘導を行うことが可能となる。
【図面の簡単な説明】
【００１１】
【図１】本発明の閲覧アプリケーションプログラムの画面の例を示した図
【図２】本発明の閲覧アプリケーションプログラムのフローの例を示した図
【発明を実施するための形態】
【００１２】
本発明の閲覧プログラムについて，以下，詳述するが，本発明を下記の内容に限定して解釈すべきでないことはいうまでもない。
【００１３】
＜＜I．発明の概容＞＞
本発明の閲覧プログラムは，写真や動画等のデジタル媒体において，その実態的情報や付随的情報に関連性が深い著作物情報の提示を行い，これを閲覧者が写真等と合わせて閲覧することにより，閲覧者の潜在的需要が掘り起こされ，閲覧者の購買行為への誘導を行うことを特徴とする。
また，逆のパターンとして，著作物情報から，関連性を有する写真等のデジタル媒体を合わせて閲覧させることもできる。例えば，音楽著作物の再生中に，これと関連性を有するデジタル媒体を表示させることにより，再生中の音楽著作物が潜在的需要に合致することを認識させ，音楽著作物の購買行為の誘導を行うなどである。
なお，本明細書において「購買行為の誘導」とは，本発明の趣旨に鑑み，表示された著作物のデジタル媒体や非デジタル媒体の購入へ誘導する行為，ないしはアプリケーションそのもの又はこれから誘導される著作物提供サービスについて，定額での使用を誘導する行為として定義される。
【００１４】
本発明の閲覧プログラムは，デジタル媒体の閲覧・視聴ならびに著作物情報の提示を行いうる限り特に限定する必要はなく，種々の形態で提供することができる。典型的には，スマートフォンやタブレット端末などの閲覧アプリケーションとして提供したり，パソコンの閲覧ソフトとして提供することができる。
【００１５】
デジタル媒体は，閲覧者の潜在的情報を含みうるデジタル媒体として定義され，典型的には，閲覧者が撮影ないし撮影対象となっている写真や動画が挙げられる。また，デジタル媒体の保存場所については特に限定する必要はなく，スマートフォンやパソコンなどのハード機器，CDやDVDなどの外部メディア，クラウドなど，あらゆる保存場所に保存したデジタル媒体を対象とすることができる。
本発明においては，デジタル媒体に記録された写真や動画などの内容そのものの情報（以下，「実態的情報」）と，撮影日時情報や撮影位置情報などの付随的情報を利用することができ，これら実態的情報と付随的情報に関連性を有する，著作物ないしこれに関する情報を，デジタル媒体とともに提示するものである。
【００１６】
本発明において，「関連性を有する」とは，デジタル媒体の内容ないし付随的情報に合致もしくは近接・類似することとして定義されるものであり，例示すると下記の場合などが挙げられる。
(1)  デジタル媒体の内容と，同一もしくは近似する内容を含む著作物。例えば，デジタル媒体が，桜を表した写真であった場合においては桜のことを歌った楽曲（合致するケース）や卒業を歌った楽曲（近似するケース）が，雪景色を表した写真であった場合においては雪のことを歌った楽曲（合致するケース）や冬・クリスマスを歌った楽曲（近似するケース），これらが該当する。
(2)  デジタル媒体の撮影日時もしくはその近傍に作製・発表・流行していた著作物。例えば，撮影日時が2015年6月30日であれば，2015年中もしくは2015年6月に発表・作製された著作物，2015年もしくは2015年6月に売上ランキング上位に含まれる著作物が，これに該当する。
(3)  撮影位置が含まれる市町村もしくは都道府県出身のアーティスト，監督，作家により，制作ないし歌唱などが行われた著作物。
(4)  撮影位置が含まれる市町村もしくは都道府県出身の俳優が出演している映画著作物，ドラマ著作物。
(5)  撮影位置における施設ないし観光物（山，海，公園，寺，城など）を内容として含む音楽著作物，映画著作物，ドラマ著作物，出版著作物。
【００１７】
本発明において，上記(2)に該当する売上ランキングを伴って著作物の表示を行うことが好ましい。売上ランキング上位の著作物は，閲覧者の記憶に強く残っていることが多いため，閲覧者の潜在的需要に合致する可能性が高く，著作物の商業的利用が促進させる効果が期待できる。
また，上記(1)から(5)についてはあくまで関連性を判断する際の個別基準の例示に過ぎないが，これらを単独の判定基準として用いてもよいし，複数組み合わせたものを判定基準として用いてもよい。
【００１８】
著作物は，潜在的情報（潜在的需要）となりうる著作物として定義されるものであり，潜在的情報を含みうる限り特に限定する必要はないが，典型的には，音楽著作物，映画著作物，ドラマ著作物，出版著作物などが挙げられる。また，いわゆるデジタル著作物でもよいし，非デジタル著作物であっても構わない。
なお，先に例示した著作物は，著作物の中でも特に閲覧者の思い出として深く記憶されていることが多く，また，これら著作物は閲覧者の潜在的需要につながり易いことから例示されるものである。
【００１９】
著作物の提示については，対象となる著作物を認識しうる限り特に限定する必要はなく，種々の形態の情報提示を行うことができる。
すなわち，著作物の内容の一部を表示したり，または，著作物に関連する情報の表示を行うことができる。音楽著作物を例に挙げると，音楽著作物の一部を閲覧とともに再生したり，音楽著作物のタイトルをランキング順位とともに表示するなどすることができる。また，映画著作物やドラマ著作物，出版著作物の場合は，一場面や表紙，パッケージなどをサムネイルとして表示するなどすることができる。
【００２０】
本発明の閲覧プログラムのフローの例について，図２に示す。
デジタル媒体表示工程（S1）は，写真や動画などデジタル媒体をアプリケーション上にて，表示・再生を行う工程である。
デジタル媒体表示工程においては，保存されるデジタル媒体の表示が可能である限り特に限定する必要はなく，種々の手法で表示を行うことができる。典型的には，図１に示されるとおり，アプリ中心にメインの写真の表示を行い，サムネイルとして複数の写真の表示を行うことができる。また，動画の場合は，典型的には，アプリ中央において，表示・再生を行うことができる。
【００２１】
付随的情報読取工程（S2）は，表示されたデジタル媒体において，撮影日時情報や撮影位置情報などを読み取る工程である。
付随的情報読取工程においては，表示されたデジタル媒体の付随的情報の読み取りが可能である限り特に限定する必要はなく，種々の手法を採用することができる。また，アプリ自体でデジタル媒体そのもの，もしくはテキストファイルに紐づけした形で付随的情報を付与し，これを読み取るなどしてもよい。
【００２２】
実態的情報読取工程（S3）は，表示されたデジタル媒体において，その内容における実態的情報を読み取る工程である。
実態的情報読取工程においては，表示されたデジタル媒体の実態的情報の読み取りが可能である限り特に限定する必要はなく，種々の手法を採用することができる。典型的には，表示されたデジタル媒体の顔や物などを認識して読み取り，これを実態的情報とすればよい。読み取った実態的情報については，一時的な情報として使用してもよいし，これを付随的情報の一種として保存を行ってもよい。
【００２３】
関連著作物選択工程（S4）は，読み取られた付随的情報ならびに実態的情報から関連性を有する著作物を選択する工程である。
関連著作物選択工程は，デジタル媒体において読み取られた付随的情報ならびに実態的情報から関連性を有する著作物を選択しうる限り特に限定する必要はなく，種々の手法を採用することができる。すなわち，読み取られた付随的情報ないしは実態的情報から，これらに優先順位を付け，これをもとに著作物の参照をｗｅｂ等から行い，最適な著作物を表示すればよい。
図１を例に挙げると，付随的情報としては，撮影日時情報（1997年4月15日），撮影場所（沖縄県名護市）が読み取られている。加えて，実態的情報としては，「結婚」，「海」，「青空」が読み取られている。これらの情報から，撮影日時として1997年，結婚に関連し，ランキングでも上位である楽曲（CAN YOU CELEBRATE？）が選択されているものである。
【００２４】
関連著作物表示工程（S5）は，選択された関連著作物の表示を行う工程である。関連著作物表示工程は，選択された関連著作物ないしは関連著作物に関する情報の表示が行われる限り特に限定する必要はなく，種々の手法を採用することができる。
例えば，音楽著作物の場合は，楽曲の一部の再生，歌手名の表示，タイトルの表示，リリース日，年間売上順位などが挙げられ，これらを単独もしくは組み合わせて用いることができる。
映画著作物やドラマ著作物の場合は，著作物の1場面や販促ポスターなどの画像の表示，出演者の画像の表示，出演者名の表示，監督名の表示，放送年月日，年間売上順位などが挙げられ，これらを単独もしくは組み合わせて用いることができる。
出版著作物の場合は，著作物の表紙の表示，作者名の表示，出版年月日などが挙げられ，これらを単独もしくは組み合わせて用いることができる。
【００２５】
これら一連の工程を経てた後，デジタル媒体表示が変更された場合は，付随的情報読取工程からの一連の工程が繰り返されることとなる（S6）。
【００２６】
＜仕様態様１；写真や動画にＢＧＭを添付するパターン＞
本発明の閲覧プログラムの例として，仕様態様１について説明を行う。
【００２７】
仕様態様１は，スマートフォンやパソコン，CDやDVD等の外部メディア，クラウド等に保存された写真や動画などのデジタル媒体について，閲覧ないし視聴を行う際に，これらデジタル媒体に関連性を有するＢＧＭが再生等されるスライドショーアプリである。
【００２８】
仕様態様１における特徴としては，写真スライド中（設定された秒数）や動画再生中に，これらデジタル媒体に付随した撮影日時情報や撮影位置情報，ならびに写真内容等の実態的情報を，アプリにて読取る。これら読み取られた情報を用いて，その時期に流行した曲として，オリコンなどの楽曲ランキング調査で上位にランクされた曲を参照し，ランキング上位の曲をデジタル媒体のＢＧＭとして流したり，タイトルをテキスト情報として表示させる。
【００２９】
楽曲の選定方法は，ランキング参照のみならず，写真の撮影された状況（例えば早朝，朝，昼，夕方，夜，夜中）などを考慮し，条件に最も似合う曲を選定する。また，春夏秋冬や男女，年齢層，赤ちゃん，学生，団体などの情報について，デジタル媒体ないし著作物にタグ付けを行い，タグと合致するデジタル媒体を選択することもできる。
仕様態様１においては，スライドさせる写真や再生する動画の順番を入れ替える機能をオプションとして選択することができる。この場合，日付順や場所，春夏秋冬の季節や年代別など，種々のカテゴリにて選択することができる。また，特にカテゴリを選択せずに，ランダムに表示させることも可能である。
スライド中に再生されている楽曲については，タイトルや歌手名，ランキング順位などの情報を再生画面の任意の場所に表示し，これをお気に入りとして保存ないしリスト化することができ，またリンクを貼って購入する仕組みを備える。
【００３０】
仕様態様１においては，オプションの機能として，ＢＧＭ用の楽曲は購入済みマークを表示したり，すでに持っている曲を自ら選定して再生することもできる。また，写真の付随的情報ないし実態的情報から，閲覧者の潜在的需要に合致するアーティストのツアーやイベントに誘導するためのリンクをはることもできる。加えて，閲覧者の楽曲の嗜好（JAZZやJ-POP，洋楽など）を予め選択し，このカテゴリから楽曲を選択することもできる。
なお，現在，音楽著作物には，アルバム名，曲名，作成日時などがタグとして埋め込まれているが，これ以外の情報として，春夏秋冬，早朝，朝，昼，夕方，夜，夜中，男，女，年齢層，明るい，暗い，アップテンポ，スローテンポなど種々の情報をタグとして埋め込むことにより，デジタル著作物に関連性の高いものを選定することができる。
【００３１】
＜仕様態様２；再生中の楽曲に写真や動画をマッチさせ，表示させるパターン＞
本発明の閲覧プログラムの例として，仕様態様２について説明を行う。
【００３２】
仕様態様２は，楽曲を再生する際に，これと関連性を有する写真や動画が，画面上に表示されるアプリである。楽曲については，スマートフォンやパソコンなどに保存された楽曲やクラウドからストリーミングで再生される楽曲などを対象としている。また，写真や動画については，スマートフォンやパソコン，クラウドなどに保存されたものを対象としている。
仕様態様２は，再生中の楽曲に，スマホやＰＣ，メディア，クラウドに保存されている写真や動画の中から独自に選定したデジタル媒体を画面上に表示させる点において，現在汎用されている楽曲再生アプリケーションとは異なるものである
【００３３】
仕様態様２において，楽曲再生中に表示される写真は，楽曲の持つニュアンスに一番近いものから選択される。すなわち，写真の撮影された状況や撮影されている物，例えば早朝，朝，昼，夕方，夜，夜中，春夏秋冬や男女，年齢，赤ちゃん，学生，団体等でもカテゴリ分けして，楽曲の持つニュアンスに一番近いものから，写真や動画が選択される。この時の選定対象となる写真や動画は，デジタル媒体に埋め込まれている日時や場所のタグからこれらを読み取ったうえで，再生されている曲の年代，場所などを考慮し，関連性のより高いものの範囲から抽出する。
仕様態様２においては，再生している楽曲に合わせて表示される写真や動画を，予め選択することが可能である。すなわち，予めフォルダ分けや選択したファイルだけを指定して，楽曲とともに表示することが可能である。また，オプションとして，再生中の楽曲や，再生しようとする楽曲，保存されている楽曲に，自ら選定して，所持している写真や動画をリンクさせて表示させることも可能である。
【００３４】
＜＜II．実施の形態＞＞
図１は，仕様態様１に該当する閲覧プログラムを，スマートフォンのアプリケーション（アプリ名，「Photo Music」）として用いた例である。
【００３５】
図１に示すように，アプリ中央に写真が大きく表示されており，下に複数の写真がサムネイルとして表示されている。
大きく表示されている写真は，結婚式に関する写真であり，これの実態的情報として，結婚，桜，春などがアプリにより，読み取られる。また，この写真の付随的情報として撮影位置情報ならびに撮影日時情報が読み取られ，それぞれ，「沖縄県名護市」ならびに「1997年4月15日」として，上部中央に表示されている。
【００３６】
この写真が，実態的情報として結婚に関するものであること，ならびに1997年の撮影であることから，アプリにおいては，1997年の楽曲のうち，結婚に関連性の高い楽曲を参照し，この中から，年間ランキングでも１位である「CAN YOU CEREBRATE？」が選択され，BGMとして一部分が流れるとともに，その情報が中央写真の下に表示される。また，閲覧者が興味を持った場合は，左の「試聴する」を選択し試聴することが可能であり，「購入する」を選択し楽曲をデジタル著作物として購入することが可能である。
また，付加的な情報として，撮影地である沖縄県名護市の現在の天気，ならびに沖縄県名護市に関するツアー情報などが合わせて表示される。
【図１】
2017157115.tif 000003
【図２】
2017157115.tif 000004